(57)【要約】【課題】簡素な構成で長寿命化が可能な電動送風機及びこれを備えた電気掃除機を提供する。【解決手段】電動送風機１は、ファン２と、ファン２を回転させるモータ11と、を備える。モータ11は、シャフト27と、シャフト27に配置された磁石部30と、スピンドル26と、ベアリング32と、を有する。スピンドル26は、シャフト27に配置されたファン２とともに回転する。ベアリング32は、シャフト27を回転可能に保持する。ファン２は、吸込側を磁石部30側として配置される。ベアリング32は、ファン２に対し磁石部30と反対側に配置されている。【選択図】図１
2020143589.tif 000002
【特許請求の範囲】
【請求項１】
ファンと、
前記ファンを回転させるモータと、を備え、
前記モータは、
シャフトと、
前記シャフトに配置された磁石部と、
前記シャフトに配置された前記ファンとともに回転するスピンドルと、
前記シャフトを回転可能に保持するベアリングと、を有し、
前記ファンは、吸込側を前記磁石部側として配置され、
前記ベアリングは、前記ファンに対し前記磁石部と反対側に配置されている
ことを特徴とする電動送風機。
【請求項２】
前記ファンは、ターボファンである
ことを特徴とする請求項１記載の電動送風機。
【請求項３】
前記ベアリングは、前記ファンの内方の位置に配置されている
ことを特徴とする請求項２記載の電動送風機。
【請求項４】
前記モータを駆動させる駆動回路を備え、
前記駆動回路は、前記ファンの上流側に配置されている
ことを特徴とする請求項１ないし３いずれか一記載の電動送風機。
【請求項５】
請求項１ないし４いずれか一記載の電動送風機を備えた
ことを特徴とする電気掃除機。
【発明の詳細な説明】
【技術分野】
【０００１】
本発明の実施形態は、磁石部を備えるモータを有する電動送風機及びこれを備えた電気掃除機に関する。
【背景技術】
【０００２】
従来、電動送風機のモータのシャフトは、複数のベアリングにより回転自在に保持されている。このような電動送風機において、ファンの回転により生じた負圧に起因するベアリングの一端部と他端部との圧力差によって、ベアリングの内部の回転体と回転体を保持するリテーナとの間の潤滑剤が放出されて短寿命化しないようにするために、ベアリングの端部を別部材で覆う電動送風機が知られている。しかしながら、別部材を用いずに、電動送風機の構成をより簡素化しつつ長寿命化できるようにすることが望ましい。
【先行技術文献】
【特許文献】
【０００３】
【特許文献１】特許第４５６７９９４号公報
【発明の概要】
【発明が解決しようとする課題】
【０００４】
本発明が解決しようとする課題は、簡素な構成で長寿命化が可能な電動送風機及びこれを備えた電気掃除機を提供することである。
【課題を解決するための手段】
【０００５】
実施形態の電動送風機は、ファンと、ファンを回転させるモータと、を備える。モータは、シャフトと、シャフトに配置された磁石部と、スピンドルと、ベアリングと、を有する。スピンドルは、シャフトに配置されたファンとともに回転する。ベアリングは、シャフトを回転可能に保持する。ファンは、吸込側を磁石部側として配置される。ベアリングは、ファンに対し磁石部と反対側に配置されている。
【図面の簡単な説明】
【０００６】
【図１】一実施形態の電動送風機を示す断面図である。
【図２】(a)は一実施形態の電動送風機のファンを吸込側から示す斜視図、(b)は一実施形態の電動送風機のファンを排気側から示す斜視図である。
【図３】一実施形態の電動送風機の図１のＩ−Ｉ相当位置の断面図である。
【図４】一実施形態の電動送風機を備えた電気掃除機を示す斜視図である。
【発明を実施するための形態】
【０００７】
以下、一実施形態について、図面を参照して説明する。
【０００８】
図１において、１は電動送風機を示す。電動送風機１は、負圧を生じさせ、負圧により空気を吸い込むとともに、内部を通過した空気を排気する。以下、本実施形態において、電動送風機１に空気が吸い込まれる側又は上流側を一端部側、空気が排気される側又は下流側を他端部側と定義する。図１において、矢印Ａ側を一端部側、矢印Ｂ側を他端部側とする。
【０００９】
電動送風機１は、回転により負圧を生じさせるファン２を備える。ファン２は、合成樹脂又は金属により形成されている。本実施形態において、ファン２は、ターボファン又は３Ｄファンである。ターボファンとは、円錐状のベース部と、ベース部に設けられた複数のブレードと、を備えるファンをいう。すなわち、本実施形態において、ファン２は、円錐状のベース部３と、ベース部３に設けられた複数のブレード４と、を備える。図２(a)及び図２(b)に示すように、ベース部３は、吸込側である一端部から排気側である他端部に向かって拡大して形成されている。ファン２は、一端部の中央部から吸い込み、他端部の外周部側に排気するように形成されている。また、ベース部３の中央部には、ボス状の円筒部である軸受部５が形成されている。また、ブレード４は、ベース部３の表面に一体的に設けられている。各ブレード４は、ベース部３の一端部から他端部に向かい、ベース部３の稜線に対して湾曲して形成される。なお、ファン２は、ターボファン又は３Ｄファンに限られず、複数のブレード４を備える２Ｄファンでも構わない。
【００１０】
ファン２は、ファンカバー６により覆われる。本実施形態において、ファンカバー６は、円筒状のカバー本体部７と、カバー本体部７の一端部に突設された円筒状の吸込部８と、を備えている。吸込部８は、他端部から一端部に向かい、徐々に縮径されるように形成されている。吸込部８には、ファン２の一端部側が挿入されて配置されている。吸込部８の先端部である一端部は、カバー吸込口９として開口されている。カバー吸込口９とファン２のブレード４との隙間が、吸い込まれた空気が通過する通気口10となっている。
【００１１】
ファンカバー６は、モータ11に取り付けられる。ファン２の一端部側にモータ11が位置する。モータ11は、ブラシレスモータである。モータ11は、駆動回路13により駆動される。駆動回路13は、ファン２の上流側である電動送風機１の一端部側に配置されている。また、モータ11は、フレーム14を備えている。フレーム14は、合成樹脂等により形成されている。本実施形態において、フレーム14は、第一フレーム体15と、第二フレーム体16と、を備える。第一フレーム体15は、円筒状に形成されている。第一フレーム体15は、一端部から他端部に亘り、一定又は略一定の外径寸法を有する。本実施形態において、第一フレーム体15は、ファンカバー６のカバー本体部７と同径又は略同径に形成されている。第二フレーム体16は、円板状に形成されている。図３に示すように、第二フレーム体16は、電動送風機１の吸込口となる通気穴18を備える。通気穴18は、単数又は複数形成されている。第二フレーム体16の通気穴18間は、放射状に延びる腕部19となっている。第二フレーム体16は、第一フレーム体15の一端部に取り付けられる。第二フレーム体16の他端部側にて第一フレーム体15の他端部側の内部に、ファンカバー６の吸込部８と、吸込部８の内方に位置するファン２の一端部側と、が位置する。なお、フレーム14は、第一フレーム体15と第二フレーム体16とにより構成されるものに限られず、三つ以上のフレーム体により構成されるものでもよいし、一つのフレーム体で一体的に構成されるものでもよい。
【００１２】
図１に示すように、モータ11は、ステータ20を備える。ステータ20は、フレーム14の内部に位置している。本実施形態において、ステータ20は、第一フレーム体15の内部に位置している。ステータ20は、第二フレーム体16に対して他端部側に離れて位置している。
【００１３】
ステータ20は、ステータコア21を備える。ステータコア21は、電磁鋼板等の磁性体が積層されて形成されている。ステータコア21は、対をなすティース22と、ティース22間に磁路を形成するヨーク部23とを一体的に備えている。ティース22は、中心軸に向かって突出している。ティース22は、互いに対向する先端部同士が離れて位置している。ティース22の先端部には、開口部24が形成されている。また、ステータ20は、各ティース22に巻回されるコイルを備えている。コイルは、ティース22に対し絶縁され、各ティース22に固定磁極を形成する。また、コイル及びティース22が、フレーム14の通気穴18に対向して配置されている。
【００１４】
また、モータ11は、スピンドル26を備える。スピンドル26は、ロータを構成し、ファン２と一体的に回転する。スピンドル26は、ファン２が接続されるシャフト27を備えている。シャフト27は、金属等により形成された長尺の棒状体である。シャフト27の他端部側は、ファン２のベース部３の図２(b)に示す軸受部５に挿通され、ファン２と一体的に固定されている。また、図１に示すスピンドル26は、磁石部30を備えている。磁石部30は、シャフト27に固定されている。磁石部30は、焼結磁石や、ボンド磁石等が用いられる。磁石部30は、円筒状に形成され、シャフト27が同軸状に挿通されている。磁石部30は、シャフト27の一端部寄りに配置されている。磁石部30は、開口部24に位置し、外周面がステータコア21のティース22の先端部に対して隙間を介して対向するように配置されている。また、磁石部30の他端部は、ファン２の一端部に対向して位置している。ファン２の吸込側に磁石部30が位置する。
【００１５】
さらに、モータ11は、ベアリング32を備えている。ベアリング32は、シャフト27を回転自在に保持している。ベアリング32は、シャフト27が接続される円環状の内輪51と、内輪51を囲む円環状の外輪52と、これら内輪51と外輪52との間に位置する複数の回転体53と、これら回転体53を保持するリテーナ54と、を備える。回転体53は、ボールやコロが用いられる。回転体53とリテーナ54との間には、潤滑剤であるグリースが保持されている。
【００１６】
ベアリング32は、複数備えられている。本実施形態において、ベアリング32は、一対備えられている。ベアリング32には、第一ベアリング32aと、第二ベアリング32bと、が設定されている。第一ベアリング32aと第二ベアリング32bとは、シャフト27の長手方向又は軸方向に互いに離れて位置することで、スピンドル26又はロータの回転軸を安定させている。さらに、第一ベアリング32aと第二ベアリング32bとは、磁石部30を挟んで、シャフト27の一端部及び他端部にそれぞれ配置されている。
【００１７】
シャフト27の一端部に配置された第一ベアリング32aは、一対のベアリングのうち、ファン２に対して遠くに位置する方のベアリングである。第一ベアリング32aは、フレーム14に保持されている。第一ベアリング32aは、磁石部30に対し、ファン２とは反対側に位置している。本実施形態において、第一ベアリング32aは、第二フレーム体16の中央部に形成された図３に示す保持穴部33に取り付けられている。保持穴部33には、図１に示す外輪52の外周部が固定されている。
【００１８】
また、シャフト27の他端部に配置された第二ベアリング32bは、一対のベアリングのうち、ファン２に対して近くに位置する方のベアリングである。第二ベアリング32bは、ファン２に対し、磁石部30とは反対側に位置している。第二ベアリング32bと磁石部30との間にファン２が配置されている。第二ベアリング32bは、ファン２の排気側に位置している。本実施形態において、第二ベアリング32bは、整流体である整流板35に保持されている。整流板35は、ファン２から排出された空気を整流する。整流板35は、円環状の外囲部37と、外囲部37により周囲が囲まれる円形状の本体部38と、本体部38と外囲部37とを連結する一又は複数の整流翼39と、を備える。整流板35とモータ11との間に、ファンカバー６が挟み込まれている。外囲部37と、モータ11のフレーム14の第一フレーム体15と、の間に、ファンカバー６のカバー本体部７が挟み込まれている。本実施形態において、外囲部37は、フレーム14の第一フレーム体15と同径又は略同径に形成されている。また、整流板35には、第二ベアリング32bを保持するベアリング保持部40が突設されている。ベアリング保持部40は、本体部38に突設されている。ベアリング保持部40は、先端部がファン２の内部にまで延びている。ここで、ファン２の内部とは、任意平面に対するファン２の投影形状における外形よりも内側の部分をいうものとする。本実施形態において、ベアリング保持部40は、先端部である一端部が、ファン２の他端部よりも一端部寄りに位置している。また、ベアリング保持部40は、一端部が、ファン２のベース部３の背後にてベース部３と軸受部５とにより囲まれる空間部41に挿入されている。空間部41は、第二ベアリング32bに向かって徐々に拡径されている。ベアリング保持部40には、一端部に凹部42が形成されている。凹部42には、第二ベアリング32bが固定されている。第二ベアリング32bは、一端部がファン２の軸受部５に対して離れて対向し、他端部が凹部42の底部に当接している。本実施形態においては、第二ベアリング32bの全体がファン２の内部に位置しているが、第二ベアリング32bの少なくとも一部がファン２の内部に位置するようにしてもよい。また、本体部38と外囲部37との間が、通気開口43となっている。通気開口43に整流翼39が位置する。整流翼39は、整流板35の周方向に互いに離れて位置している。
【００１９】
図４に示すように、電動送風機１は、電気掃除機45に用いられる。電気掃除機45は、本体46と、制御回路と、風路48と、集塵部49と、を備える。制御回路は、電動送風機１等を制御する。風路48は、電動送風機１の吸込側と連通して形成される。集塵部49は、風路48を介して空気とともに吸い込まれた塵埃を集積する。なお、図４においては、使用者が本体46を被掃除面上で走行させて掃除をする、床走行型の電気掃除機45を示すが、本体46に直管状の風路48が接続されるスティック型やアップライト型、本体46を直接把持して掃除するハンディ型、あるいは本体46が自律走行して掃除する自走式等の各種掃除機でもよい。
【００２０】
次に、一実施形態の電動送風機１の動作を説明する。
【００２１】
駆動回路13によりモータ11が駆動され、スピンドル26がファン２とともに回転すると、ファン２の回転により生じた負圧によって、電動送風機１へと空気が吸い込まれる。空気は、駆動回路13の全体に沿って流れつつ一端部の通気穴18からフレーム14の内部に流入し、ステータ20の巻線間や開口部24を他端部に向かい流れて、ステータ20及び磁石部30を冷却する。さらに、空気は、カバー吸込口９とファン２との間の通気口10に流入し、ファン２のブレード４によりファン２の外周側へと吸込部８内を流れた後、ファン２の外周側から整流板35の整流翼39により整流されつつ、通気開口43から他端部へと排出される。
【００２２】
上述したように、一実施形態によれば、ファン２が吸込側を磁石部30側として配置され、第二ベアリング32bが、ファン２に対し磁石部30と反対側に配置されているため、第二ベアリング32bの位置では、ファン２から空気が排出されて圧力が開放されているので、第二ベアリング32bの一端部と他端部との圧力差が少ない。そのため、第二ベアリング32bの一端部と他端部との圧力差による内部への空気の流れ込みを抑制でき、第二ベアリング32bの内部への塵埃の侵入や回転体53とリテーナ54との間の潤滑剤の流出を抑制できるので、別部材等を用いることなく簡素な構成で、電動送風機１を長寿命化できる。
【００２３】
また、第二ベアリング32bがファン２に対し磁石部30側に配置されている場合には、第二ベアリング32bの両端部間の圧力差を抑制するためにファン２と第二ベアリング32bとの間の距離を十分に取らなければならなかったのに対し、本実施形態の場合には、第二ベアリング32bがファン２に対し磁石部30とは反対側に配置されているので、ファン２と第二ベアリング32bとの距離を離す必要がなく、電動送風機１が軸方向に大型化することを抑制できる。
【００２４】
さらに、従来の技術では、ファン２の吸込側を磁石部30側として配置するとともに、ファン２の吸込側の内方にポケット部を設け、このポケット部の内部に第二ベアリング32bを配置して第二ベアリング32bの端部をシールする。この場合には、ファン２のベース部３の一端部側の径寸法を、第二ベアリング32bが内部に配置されたポケット部よりも大きくしなければならないため、ファン２の径寸法を一定とする場合にはブレード４の幅が短くなり、電動送風機１の性能が低下するとともに、ブレード４の幅を一定とする場合には、ファン２の径寸法が大きくなり、電動送風機１が径方向に大型化する。それに対し、本実施形態の場合には、第二ベアリング32bがファン２に対し磁石部30とは反対側に配置されているので、従来の技術と比べて電動送風機１の性能の低下や径方向の大型化を招きにくい。
【００２５】
また、第二ベアリング32bは、ベアリング保持部40の凹部42の底部に他端部が当接されていることで、他端部側がベアリング保持部40によってシールされる。そのため、第二ベアリング32b内に空気がより流れ込みにくくなることで、第二ベアリング32bの内部の潤滑剤の流出や塵埃の侵入をより効果的に抑制でき、電動送風機１をより長寿命化できる。
【００２６】
特に、ファン２が、ターボファンである場合、真空度が高くなることから、第二ベアリング32bがファン２の吸込側にあると、一端部と他端部との圧力差がより大きくなる。そのため、本実施形態のように、ファン２に対し磁石部30と反対側に第二ベアリング32bを配置することで、ファン２をターボファンとした場合でも、圧力差に起因する空気の流れ込みによる第二ベアリング32bの内部からの潤滑剤の流出を抑制できる。
【００２７】
また、モータ11がブラシレスモータの場合、磁石部30には焼結磁石やボンド磁石が用いられる。特にボンド磁石は熱に弱いため、シャフト27の周囲に位置する磁石部30に対してファン２の吸込側を対向させることで、ファン２の中心側に吸い込まれる空気によって磁石部30を効果的に冷却でき、熱に起因する磁石部30の劣化や磁石部30の過熱に起因する電動送風機１の性能の低下を抑制できる。
【００２８】
第二ベアリング32bを整流板35に保持することで、第二ベアリング32bを保持するための別途の部材が不要であり、構成を簡素化でき、電動送風機１を低コスト化できる。
【００２９】
第二ベアリング32bがファン２の内方の位置に配置されているため、第二ベアリング32bをより空気の流れがない場所に配置可能となるので、第二ベアリング32bの内部への塵埃の侵入や第二ベアリング32bの内部の潤滑剤の流出をより効果的に抑制でき、潤滑剤の流出に起因する短寿命化を抑制できる。また、第一ベアリング32aと第二ベアリング32bとの距離が近くなるので、スピンドル26又はシャフト27を短くすることができ、電動送風機１の剛性を向上でき、低振動化及び低騒音化が可能になる。
【００３０】
特に、ファン２は、ベース部３が円錐形状のターボファンであるため、ベース部３の他端部側の空間部41を利用し、この空間部41に第二ベアリング32bを配置することで、ファン２の吸込側の形状を大きく変える必要がなく、ブレード４の十分な幅を確保して電動送風機１の性能を確保できる。
【００３１】
モータ11を駆動させる駆動回路13をファン２の上流側に配置することで、駆動回路13全体に吸込風を当てることができ、駆動回路13を効果的に冷却できる。
【００３２】
電動送風機１を電気掃除機45に用いることで、小型かつ軽量であるとともに、長寿命で低騒音の電気掃除機45を提供可能となる。
【００３３】
なお、上記一実施形態において、第二ベアリング32bは、ファン２に対して磁石部30と反対側に配置されていれば、その位置はファン２の内部に限られない。
【００３４】
第二ベアリング32bは、ファン２に対し磁石部30と反対側に位置していれば、整流板35に限られず、ファン２の磁石部30とは反対側の任意の構造体に保持される構成としてよい。
【００３５】
電動送風機１は、吸引掃除機に限られず、ブロワ等の排気を利用する電気掃除機に利用してもよいし、電気掃除機以外の電気機器に利用してもよい。
【００３６】
本発明のいくつかの実施形態を説明したが、これらの実施形態は、例として提示したものであり、発明の範囲をこれらの実施形態に限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１    電動送風機
２    ファン
11    モータ
13    駆動回路
26    スピンドル
27    シャフト
30    磁石部
32b   第二ベアリング
45    電気掃除機
【図１】
2020143589.tif 000003
【図２】
2020143589.tif 000004
【図３】
2020143589.tif 000005
【図４】
2020143589.tif 000006